(57)【要約】【課題】浄化槽の曝気用配管及び逆洗用配管の空気配管を誤って逆に敷設した場合も、その空気配管をままにして、接続可能なエアポンプの提供。【解決手段】ポンプ本体２と、吐出口Ａ又はＢのどちらか一方から吐出するエアタンク３と、コントロール装置４とからなるエアポンプ１において、エアタンク３は隔壁１４で区画された空気室１１、１２、１３と、それに付設する流路切替装置５とを備え、その隔壁１４には空気流路を分割する分岐口９，１０が設けられ、流路切替はコントロール装置４を介して制御され、吐出口Ａは空気室１２又は１３に設けた２つの吐出口Ａ１及びＡ２からなり、吐出口Ｂは空気室１２又は１３に設けた２つの吐出口Ｂ１及びＢ２からなり、吐出口Ａ１及びＢ１は、平面視で吐出口Ａ２及びＢ２を相補するように配置されている。【選択図】図２
2004124853.tif 000002
【特許請求の範囲】
【請求項１】
空気を吐出するポンプ本体と、前記ポンプ本体からの吐出空気を溜めて、吐出口Ａ又は吐出口Ｂのどちらか一方から吐出するエアタンクと、コントロール装置とからなり、
前記エアタンクは、空気流路を形成するための隔壁で区画された複数の空気室と、それに付設する流路切替装置とを備え、
前記隔壁には、空気流路を複数に分割する分岐口が設けられ、
前記流路切替装置による流路切替は前記コントロール装置を介して制御される流路切替機能付きエアポンプであって、
前記吐出口Ａは、共通の空気室に設けた２つの吐出口（Ａ１及びＡ２）からなり、前記吐出口Ｂは、共通の空気室に設けた２つの吐出口（Ｂ１及びＢ２）からなり、一の吐出口Ａ１及びＢ１は、平面視で、他の吐出口Ａ２及びＢ２を相補するように配置されている、流路切替機能付きエアポンプ。
【請求項２】
一の吐出口Ａ１及びＢ１は、平面視で、他の吐出口Ａ２及びＢ２に対して線対称的に配置されている、請求項１の流路切替機能付きエアポンプ。
【請求項３】
コントロール装置が、ポンプ本体を覆うケーシングの上面又は側面に一体に組まれている、請求項１又は２の流路切替機能付きエアーポンプ。
【発明の詳細な説明】
【０００１】
【発明の属する技術分野】
本発明は、汚水浄化槽用の空気流路切替機能付きエアポンプに関するものである。
【０００２】
【従来の技術】
ダイアフラムの振動によって空気を吐出するポンプ本体と、吐出する空気を一旦溜めて二つの吐出口（Ａ，Ｂ）のいずれか一つの吐出させるエアタンクとが一体に組み付けられたエアーポンプであって、そのエアタンクは空気流路を形成する隔壁を備え、その隔壁には空気流路を二つに分割する分岐口を備え、その分岐口には空気を切り替える弁体を備え、その弁体に切替指示を与えるコントロール装置を備えている流路切替機能付き（二口の）エアーポンプは、従来から、知られている（例えば、特許文献１参照）。
【０００３】
【特許文献１】
特開平１０−２３８４７３号公報
【０００４】
上記エアポンプは、通常、トイレ、厨房、浴槽、洗濯機等からの排水を浄化処理する汚水浄化槽に組み込まれる。すなわち、上記エアポンプの二つの吐出口（Ａ，Ｂ）の一方は、汚水浄化槽の好気処理槽への曝気用配管と接続し、他方は好気処理槽の充填材を撹乱させる逆洗用配管へと接続する。
【０００５】
【発明が解決しようとする課題】
汚水浄化槽を新設する場合、その空気配管（曝気用配管及び逆洗用配管）が誤って逆に配管されると、エアポンプの二つの吐出口（Ａ，Ｂ）はエアポンプの一側面に固定的に設けられているので、そのエアポンプの二つの吐出口と汚水浄化槽の空気配管（曝気用配管及び逆洗用配管）との接続は逆になり、不適切な接続となる。所定の適切な接続に直すには、エアポンプの近傍で空気配管を交差させて接続するか、エアポンプを天地逆転して使用するか、あるいは、汚水浄化槽と共に地中に埋設した空気配管（曝気用配管及び逆洗用配管）を掘り起こし、再び配管工事をやり直さなければならない。
ところで、空気配管を交差させる上記方法は、装置の外観（美観）を損ねる。
エアポンプは、天地逆転して使用するようにはつくられていない。
また、空気配管（曝気用配管及び逆洗用配管）を掘り起こし、再び配管工事をやり直す方法は、アスファルトやコンクリートなどで埋め固める場合もあるので、その際の工事は大変な作業となる。
【０００６】
本発明は、曝気用配管及び逆洗用配管の空気配管を誤って逆に敷設した場合も、その空気配管をままにして、接続可能なエアポンプを提供しようとするものである。
【０００７】
【課題を解決するための手段】
上記目的を達成するため、本発明では、次の構成をとった。
すなわち、本発明の流路切替機能付きエアポンプ１は、（上ケーシング６内に収容された）空気を吐出するポンプ本体２と、前記ポンプ本体２からの吐出空気を溜めて、吐出口Ａ又は吐出口Ｂのどちらか一方から吐出するエアタンク３と、コントロール装置４とからなるとともに、
前記エアタンク３は、空気流路を形成するための隔壁１４で区画された複数の空気室（第一空気室１１、第二空気室１２、第三空気室１３）と、それに付設する弁体付き流路切替装置５とを備え、
前記隔壁１４には、空気流路を複数（通常は、二つ）に分割する分岐口９，１０が設けられ、
前記弁体付き流路切替装置５による流路切替は前記コントロール装置４を介して制御される流路切替機能付きエアポンプ１であって、
前記吐出口Ａは、共通の空気室（第二空気室１２又は第三空気室１３）に設けた２つの吐出口（Ａ１及びＡ２）からなり、
前記吐出口Ｂは、共通の空気室（第二空気室１２又は第三空気室１３）に設けた２つの吐出口（Ｂ１及びＢ２）からなり、
一の吐出口Ａ１及びＢ１は、平面視で、他の吐出口Ａ２及びＢ２を相補するように配置されている流路切替機能付きエアポンプ１、である。
【０００８】
ここで、流路切替機能付きエアポンプ１の外観形状は、略角柱状又は略円柱状の箱形が好ましい。更には、一の吐出口Ａ１及びＢ１は、平面視で、他の吐出口Ａ２及びＢ２に対して線対称的に配置することが好ましい。
【０００９】
また、コントロール装置４は、好ましくは、ポンプ本体２を覆うケーシング６の上面又は側面に一体に組み込む。
【００１０】
【作用】
本発明の流路切替機能付きエアポンプ１においては、正規の吐出口Ａ１及びＢ１が、エアタンク３から突き出るように配されているほかに、別に２つの（予備の）吐出口Ａ２及びＢ２が、正規の吐出口Ａ１及びＢ１を相補するように突き出ているので、鉛直線を軸として適当な角度だけに回転させれば、吐出口をＡ及びＢの順の配置とすることも、その反対のＢ及びＡの順の配置とすることも可能である。
【００１１】
【発明の実施の形態】
以下、添付図面を参照して本発明を更に具体的に説明する。
図１は本発明の流路切替機能付きエアポンプの一例の外観斜視図及び平面図である。また、図２は同エアポンプを側面から透視した内部構成図である。図１及び図２から分かるように、本発明の流路切替機能付きエアポン１は、上ケーシング６内に収容されたポンプ本体２と、ポンプ本体２からの吐出空気を受ける流入口８と、その吐出空気を溜めて、これを二流路（Ａ及びＢ）のうちの一流路（ＡかＢ）に供給する流路切替装置５が付設されたエアタンク３と、コントロール装置４とで構成され、全体としてケーシング内に収容された一体構造である。
【００１２】
なお、ポンプ本体としてのポンプ部は、ダイヤフラム振動型エアポンプ、電磁ピストン式エアポンプ、ロータリー式エアポンプ等のエアポンプ類を用いることができ、好ましくは、ダイヤフラム振動型エアポンプである。
【００１３】
図３は、同エアポンプのエアタンク部分の内部を上方からみた構造である。エアタンク３は、空気流路を形成するための隔壁１４で区画された第一空気室１１、第二空気室１２及び第三空気室１３に分割され、そのうちの第一空気室１１は流入口８と繋がっており、また、第二空気室１２及び第三空気室１３は、各々、分岐口９及び分岐口１０を介して第一空気室１１に連通している。また、隔壁１４には、空気流路を二方向に分ける分岐口９，１０が設けられているとともに、その分岐口９，１０の近傍には、弁体付き流路切替装置５が付設され、弁体をその分岐口９，１０のいずれかに押し付けて塞ぐことで、空気流路は切り替わる。ここで、吐出口（Ａ，Ｂ）の平面視の配置は、略左右対称的である。なお、吐出口Ａ及びＢの平面視の配置は、左右対称構造を必ずしも要しない。一の吐出口Ａ１及びＢ１が、他の吐出口Ａ２及びＢ２を相補するように配置（例えば、反時計回りで、Ａ１及びＢ１の順、並びに、Ｂ２及びＡ２の順の組合せ）であればよい。また、図３は吐出口Ａ（Ａ１及びＡ２）から空気吐出させている例である。
【００１４】
図３（ロ）は弁体部分の拡大図である。ピストンロッド１７の一端は電磁装置１６に連結され、そのピストンロッド１７には弁体（ピストン）１５が固定されており、また、ピストンロッド１７の他端には、分岐口９，１０に向けて弁体（ピストン）を付勢するバネが連結されている。図３の場合は、電磁装置１６は動作しておらず、（電流が非通電）、ピストンロッド１７はバネ１９により付勢されて、一方の分岐口９が開き、他方の分岐口１０は弁体（ピストン）により塞がれている。
【００１５】
この状態で、ポンプ本体２から吐出された空気は流入口８を経て第一空気室１１に流入し、矢印で示すように分岐口９を通って第二空気室１２に流入し、両側面の吐出口（Ａ１及びＡ２）から吐出する。なお、実際に汚水浄化槽の空気配管にこのエアポンプを接続する場合、空気吐出の必要がない他方の吐出口は、ゴム栓などで閉塞しておく。
【００１６】
図４は、吐出口Ｂ（Ｂ１及びＢ２）から空気吐出させる場合である。このときは、電磁装置１６へ通電してこれを作動させ、バネ１９の力に抗して弁体（ピストン）１５を移動させ、分岐口９を塞ぎ、分岐口１０を開放する。これにより第一空気室１１に流入した空気は、分岐口１０を通って第三空気室１３に流入し、両側面の吐出口（Ｂ１及びＢ２）から吐出する。
【００１７】
次に、コントロール装置部分の正面図（図５）により、コントロール装置４を説明する。コントロール装置４は、２４時間タイマーを有していて、時刻等を表示する時刻表示部と、手動逆洗スイッチ、モード切替スイッチ、時刻設定スイッチ等のスイッチ類と、自動運転ランプ、時計設定ランプ、逆洗開始時刻ランプ、逆洗終了時刻ランプ、逆洗ランプ等のランプ類とで構成されている。通常は自動運転モードとなっており、ランプ類では自動運転ランプのみが点灯し、時刻表示部で現在時刻が表示されている。
【００１８】
モードスイッチの操作によって、自動運転モード、現在時刻設定モード、逆洗開始時刻モード及び逆洗終了時刻モードに切替えることができる。現在時刻設定モードを選択すると自動運転ランプが消え、時計設定ランプが点灯する。時刻設定スイッチによって現在時刻を設定することができる。
【００１９】
逆洗開始時刻モードを選択すると、自動運転ランプが消え、逆洗開始時刻ランプが点灯する。時刻設定スイッチによって逆洗開始時刻を設定する。逆洗終了時刻設定モードを選択すると、逆洗終了時刻ランプが点灯し、先の逆洗開始時刻モードと同様にして逆洗終了時刻を設定することができる。設定された逆洗時間（逆洗開始時刻から逆洗終了時刻まで）だけ、エアは吐出口Ｂ（Ｂ１、Ｂ２）から吐出される。すなわち、設定部において設定された好気濾床槽への曝気の時間帯は、吐出口Ａ（Ａ１、Ａ２）が開となり（吐出口Ｂは閉）、吐出口Ａ（Ａ１、Ａ２）からエアが供給され、一方、逆洗の時間帯は、吐出口Ｂ（Ｂ１、Ｂ２が開となり（吐出口Ａは閉）、吐出口Ｂ（Ｂ１、Ｂ２）からエアが浄化槽に供給される
【００２０】
また、手動逆洗スイッチを操作すると、強制的に切替装置を作動させることができる。手動逆洗スイッチを押すと、逆洗ランプが点灯し、エアは吐出口Ｂより吐出する。
【００２１】
なお、コントロール装置は、図１に示すような上ケーシング６の側面に配置してもよいが、上ケーシング６の上面に配置してもよい。エアポンプを鉛直線を軸にどのように回転させても、表示を読み取ることができ操作しやすいからである。
【００２２】
図６に本発明の流路切替機能付きエアポンプ１を組み込んだ汚水浄化槽２０の例を示した。
【００２３】
【発明の効果】
本発明の流路切替機能付きエアポンプを用いれば、汚水浄化槽からの空気配管の曝気・逆洗の極性に応じて、エアポンプ取付の側面方向を合わせることで、容易に配管接続することができる。
したがって、仮に、汚水浄化槽における曝気用配管及び逆洗用配管の空気配管を誤って逆に敷設した場合でも、その空気配管をままにして、正規の吐出口Ａ１及びＢ１を使う代わりに、予備の吐出口Ａ２及びＢ２エ使って接続すればよい。面倒な空気配管のやり直し工事をする必要もない。空気配管を交差させることもない。
定期点検等で誤配管を発見した場合も、面倒な空気配管のやり直し工事は不要となる。
【図面の簡単な説明】
【図１】本発明の流路切替機能付きエアポンプの一例で、（イ）は外観斜視図、（ロ）は平面図である。
【図２】図１の流路切替機能付きエアポンプを側面からみた内部構成図である。
【図３】吐出口Ａ（Ａ１及びＡ２）から空気吐出している場合の流路切替機能付きエアポンプのエアタンク部分。（イ）は水平断面図、（ロ）は弁体部分の拡大図である。
【図４】吐出口Ｂ（Ｂ１及びＢ２）から空気吐出している場合の流路切替機能付きエアポンプのエアタンク部分。（イ）は水平断面図、（ロ）は弁体部分の拡大図である。
【図５】図１のコントロール装置部分（正面図）である。
【図６】流路切替機能付きエアポンプが組み込んだ汚水浄化槽の一例の斜視図である。
【符号の説明】
１：エアーポンプ　　２：ポンプ本体
３：エアータンク（空気流路を兼用）　　４．コントロール装置
５：流路切替装置　　６：ケーシング（上ケーシング）
７：給気口　　８：流入口
９：：分岐口　　１０：分岐口
１１：第一空気室　　１２：第二空気室
１３：第三空気室　　１４：隔壁
１５：弁体（ピストン）　　１６：電磁装置
１７：ピストンロッド　　１９：バネ
２０：汚水浄化槽
【図１】
2004124853.tif 000003
【図２】
2004124853.tif 000004
【図３】
2004124853.tif 000005
【図４】
2004124853.tif 000006
【図５】
2004124853.tif 000007
【図６】
2004124853.tif 000008